(57)【要約】本発明は、共通の周波数帯域において２つの無線通信システムに属する端末を同時にスケジュールするための方法であって、前記第１の通信システムの基地局は前記第２の無線通信システムを認識しており、両方のシステムはエア・インターフェース上でＯＦＤＭリソース割当て機構を使用し、ＯＦＤＭフレーム構造は前記第１のシステムに対して予め定義される、方法に関する。本発明によれば、本方法は、予め定義された時間間隔の間に前記第２のシステムのために必要とされるリソースの量を前記第１のシステムにおいて検出するステップと、前記予め定義された時間間隔の間に前記第１のシステム用に予約された前記ＯＦＤＭフレームの第１の部分と前記第２のシステム用に予約された前記ＯＦＤＭフレームの第２の部分とを決定するステップであって、前記ＯＦＤＭフレームの前記第１および第２の部分は、周波数領域において分離され、前記第２のシステムのために必要とされるリソースを考慮に入れる、決定するステップとを含む。
2011505081.tif 000002
【特許請求の範囲】
【請求項１】
共通の周波数帯域において２つの無線通信システムに属する端末を同時にスケジュールする方法であって、前記第１の通信システムの基地局は、前記第２の無線通信システムを認識し、両方のシステムは、エア・インターフェース上でＯＦＤＭリソース割当て機構を使用し、ＯＦＤＭフレーム構造は前記第１のシステムに対して予め定義されており、前記方法は、
予め定義された時間間隔の間に前記第２のシステムに対し必要とされるリソースの量を前記第１のシステムにおいて検出するステップと、
前記予め定義された時間間隔の間に前記第１のシステム用に予約された前記ＯＦＤＭフレームの第１の部分と前記第２のシステム用に予約された前記ＯＦＤＭフレームの第２の部分とを決定するステップとを含み、前記ＯＦＤＭフレームの前記第１および第２の部分は周波数領域において分離され、そして、前記第２のシステムのために必要とされる前記リソースが考慮に入れられる、方法。
【請求項２】
前記ＯＦＤＭフレームの前記第１および第２の部分が、時間領域においても分離される、請求項１に記載の方法。
【請求項３】
前記予め定義された時間間隔が前記第１のシステムにおけるＯＦＤＭフレーム持続時間に対応する、請求項１に記載の方法。
【請求項４】
前記第２のシステムにおける前記フレーム持続時間が前記第１のシステムにおける前記フレーム持続時間よりも短い、請求項１に記載の方法。
【請求項５】
前記第１および第２のシステムが時分割複信モードで動作する、請求項１に記載の方法。
【請求項６】
前記第２のシステムにおける前記フレーム持続時間が前記第１のシステムにおける前記フレーム持続時間よりも長く、ダウンリンク・リソースが前記第１のシステムの前記ダウンリンク・フレーム部分と同じ持続期間中に前記第２のシステムに属する端末に割り当てられ、アップリンク・リソースが前記第１のシステムにおける前記アップリンク・フレーム部分と同じ持続期間中に前記第２の端末に割り当てられ、前記リソースの周波数および時間延長部が前記ダウンリンク・フレーム部分持続時間中に前記第１のシステムおよび第２のシステムに割り当てられ、そして、前記第１のシステムの前記アップリンク・フレーム部分持続時間が独立している、請求項１に記載の方法。
【請求項７】
前記第１のシステムの前記フレーム構造が、前記ＯＦＤＭフレームの前記第１および第２の部分に関する情報を含むフィールドを備える、請求項１に記載の方法。
【請求項８】
第１の無線通信システムで使用されるよう適合され、そして共通の周波数帯域においてスケジュールするように適合された基地局であって、前記第１の無線通信システムおよび第２の無線通信システムに属する端末は両方ともエア・インターフェース上でＯＦＤＭ機構を使用し、前記基地局は、
予め定義された時間間隔の間に前記第２のシステムに対し必要とされるリソースの量を前記第１のシステムにおいて検出する手段と、
前記予め定義された時間間隔の間に前記第１のシステム用に予約された前記ＯＦＤＭフレームの第１の部分と前記第２のシステム用に予約された前記ＯＦＤＭフレームの第２の部分とを決定する手段とを含み、前記ＯＦＤＭフレームの前記第１および第２の部分は周波数領域において分離され、そして、前記第２のシステムのために必要とされる前記リソースが考慮に入れられる、基地局。
【発明の詳細な説明】
【技術分野】
【０００１】
本発明は、共通の周波数帯域において２つの無線通信システムに属する端末を同時にスケジュールする方法に関する。
【背景技術】
【０００２】
共通の無線通信システムでは、新しい規格が運用を開始する場合、レガシー・システムの動作と新規システムの動作とが十分に分離されるように、新しい周波数帯域が選択される。
【０００３】
これは、異なる周波数帯域の使用を最適化しないという欠点をもたらす。新規システムとレガシー・システムの両方の周波数帯域は、両方のネットワークの全容量を考慮に入れて大きさが決定されるが、新規システムの動作の開始時には、レガシー・システムはまだ多数のユーザを有しているが、数か月後には、新規システムの便益によってレガシー・システムの使用は減少する。その結果、新規システムは、その動作の開始時に周波数帯域が最適に使用されず、レガシー・システムは、その動作の終了時に最適に使用されないことになる。
【発明の概要】
【発明が解決しようとする課題】
【０００４】
本発明の特定の一目的は、短期間または中期間中にレガシー・システムを新規システムと交換することが意図されている場合に、周波数スペクトルをより良く使用できるようにすることである。
【０００５】
本発明の別の目的は、レガシー・システムへの下位互換性を提供する新規システムの対応する基地局を提供することである。
【課題を解決するための手段】
【０００６】
これらの目的、および以下で明らかになる他の目的は、請求項１に記載の共通の周波数帯域において２つの無線通信システムに属する端末を同時にスケジュールするための方法と、請求項８に記載の基地局とによって達成される。
【０００７】
本発明によれば、２つの無線通信システム（たとえば、レガシー・システムと新規システム）は、同じ周波数帯域を共有し、本明細書で第１のシステムと呼ぶあるシステムは、本明細書で第２のシステムと呼ぶ他のシステムの動作を認識している。第１のシステムは、第２のシステムによって必要とされるリソースの量を検出することができ、両方のシステムのユーザ数およびそれらが必要とするリソースに応じて、第１のシステムに属するユーザと第２のシステムに属するユーザとにリソースを動的に割り当てることができ、リソースの共有は、周波数領域において、好ましくは時間領域においても実施される。
【０００８】
本発明による方法は、レガシー・システムから新規システムへのアップグレードの場合に、２つのシステム間の動的リソース割当てを利用して、必要な周波数スペクトルを制限するという利点を提示する。
【０００９】
本発明の別の利点は、既存の周波数帯域に新規のより効率的な通信システムを導入する場合に、すべてのレガシー端末を交換する必要性なしに操作者に対して円滑な移行戦略（ｍｉｇｒａｔｉｏｎ  ｓｔｒａｔｅｇｙ）を可能にすることにある。レガシー・システムと同じ周波数帯域を使用する新規システムの導入は、加入者に対して完全に透過的に行うことができる。
【００１０】
本発明のさらなる有利な特徴は従属クレームにおいて定義される。
【００１１】
本発明の他の特徴および利点は、非限定的な例示によって与えられる好ましい実施態様についての以下の説明、および添付の図面から明らかになろう。
【図面の簡単な説明】
【００１２】
【図１】本発明による、同じ周波数帯域において協働的に動作している２つのシステムを示す図である。
【図２】同じ周波数帯域において第２のシステムと共存している第１のシステムのフレーム構造の第１の実施形態を示す図である。
【図３】同じ周波数帯域において第２のシステムと共存している第１のシステムのフレーム構造の第２の実施形態を示す図である。
【図４】本発明による基地局を示す図である。
【発明を実施するための形態】
【００１３】
図１に、本発明による、同じ周波数帯域において協働的に動作している２つのシステムを示す。この簡略図では、好ましくは新規システムである第１のシステムは端末１２と基地局１３とを備え、好ましくはレガシー・システムである第２のシステムは端末１１と基地局１４とを備える。本発明によれば、第１のシステム上の基地局１３は、同じ周波数帯域において第１のシステムと第２のシステムの両方の端末１１、１２間で協働的なリソース共有を実施することができる。両方のシステムは、両方のシステムのフレーム構造が時間および周波数延長部を備えるように、情報を交換するためのエア・インターフェース上でＯＦＤＭ／ＯＦＤＭＡ技法を使用している。
【００１４】
リソース共有は、本発明によれば、基地局１３によって周波数領域において、好ましくはさらに時間領域においても実施される。
【００１５】
第１のシステムにおいてリソース割当てを実行するスケジューラは、第１のシステムの要件と第２のシステムの要件の両方を認識している。好ましくは、第２のシステムのリソースの割当ては、予め定義された基準（たとえば、第１および第２のシステムのユーザ数、第１および第２のシステムのトラフィック要件）に従って、第１のシステムのフレーム持続時間ごとに、動的に実行される。
【００１６】
図２に、同じ周波数帯域においてレガシー・システムと共存している新規システムのフレーム構造を示し、新規システムの帯域幅はレガシー・システムの帯域幅よりも大きい。
【００１７】
本実施形態では、新規システムの帯域幅はレガシー・システムの帯域幅よりも大きい。これは、第２のシステムのフレーム延長部が次の通りであることを意味する。周波数延長部はＹ’個の副搬送波であり、Ｙ’＜Ｙ（第１のシステムのフレームの第Ｙの周波数延長部）であり、その時間延長部はＸ’個のＴＴＩであり、Ｘ’＜＝Ｘ（第１のシステムのフレームの第Ｘの時間延長部）。
【００１８】
新規システムのフレーム構造２０は、時間および周波数延長部を有し、ＯＦＤＭシンボルから構成される。フレームの延長部全体は、Ｘ軸におけるＸ個のＴＴＩ、およびＹ軸におけるＹ個の副搬送波である。本実施形態では、フレームのダウンリンク部分の後にフレームのアップリンク部分が続き、これは時分割複信方式の特徴である。とはいえ、本発明は、ＴＤＤ方式に限定されず、ＦＤＤ方式にも適用できることが当業者には明白であろう。
【００１９】
本発明によれば、フレーム中のリソースは、基地局１３によって第１の無線通信システム端末１１と第２の無線通信システム端末１２とに割り当てられる。この目的のために、フレームは、第１のシステム・プリアンブルを備えるフィールド２１と、第１のシステム・フレーム構築情報２２と、第１のシステム・ダウンリンク・データ割当て領域２３と、第２のシステム・プリアンブルを備えるフィールド２４と、第２のシステム・フレーム構築情報２５と、第２のシステム・ダウンリンク・データ割当て領域２６と、第１のシステム・アップリンク・データ割当て領域２７と、第２のシステム・アップリンク・データ割当て領域２８とを備える。したがって、第２のシステム・フレーム用に予約されたフレーム２０のフレーム部分は、フィールド２４、２５、２６、２８から構成され、第１のシステムから独立して第２のシステム用に定義されたフレーム・フォーマットに対応する。
【００２０】
フィールド２３、２６、２７、２８のサイズは、第１のシステムのリソース必要性だけでなく、第２のシステムのリソース必要性をも認識している第１のシステムに属するスケジューリング・アルゴリズムによって決定される。このスケジューリング・アルゴリズムは、基地局１３か、または第１のシステムのアクセス・ネットワーク中の他の場所に設置できる。
【００２１】
新規システム・フレーム構築情報を含むフィールド２２は、少なくとも、第２のシステム・フレーム部分のフレーム中の位置ならびにそれらのサイズに関する情報を備える。代替として、第１のシステムに属するシグナリング／データの位置およびサイズと、第２のシステムに属するデータの位置およびサイズとを一義的に決定する唯一の目的をもつフィールド２２の一部を他の情報とすることができる。
【００２２】
代替実施形態では、この情報は、第１のシステム端末が第２のシステムの信号フォーマットに影響されないことが保証される場合、随意とするかまたは省略できる。
【００２３】
第２のシステムのプリアンブルが送信されるフィールド２４は、第１のシステム・フレームにおける第２のシステムのフレーム構造のエミュレーションを可能にする。好ましくは、第２のシステムのプリアンブルは、第１のシステム・フレームにおいて同じ位置で定期的に送信される。
【００２４】
図３に、同じ周波数帯域において第２のシステムと共存している第１のシステムのフレーム構造の第２の実施形態を示し、第１のシステムのフレーム持続時間は第２のシステムのフレーム持続時間よりも短い。
【００２５】
第１および第２のシステムのフレーム持続時間が異なり、第２のシステムのフレーム持続時間（ダウンリンク３１２、アップリンク３２２）が第１のシステムのフレーム持続時間（ダウンリンク３１１、アップリンク３１２）よりも長い場合、本発明に従って共有リソース使用を実施することもできる。図３では、第１のシステムのフレーム持続時間は第２のシステムのフレーム持続時間の半分である。
【００２６】
本発明によれば、時間軸に沿って、以下の状況が発生する。
１−第１のシステム・フレーム３０１１の第１のシステム・ダウンリンク３１１１が、第２のシステム・フレーム３０２の第２のシステム・ダウンリンク３１２と一致する。
２−第１のシステム・フレーム３０１１の第１のシステム・アップリンク３２１１が、第２のシステム・フレーム３０２の第２のシステム・ダウンリンク３１２と一致する。
３−第１のシステム３０１２の第１のシステム・ダウンリンク３１１２が、第２のシステム・フレーム３０２の第２のシステム・アップリンク３２２と一致する。
４−第１のシステム・フレーム３０１２の第１のシステム・アップリンク３２１２が、第２のシステム・フレーム３０２の第２のシステム・アップリンク３２２と一致する。
【００２７】
ＴＤＤ方式では、両方のシステムのそれぞれ同時のアップリンク伝送およびダウンリンク伝送を尊重（ｒｅｓｐｅｃｔｅｄ）しなければならない。
【００２８】
状況１および４では、両方のシステムはそれぞれアップリンクおよびダウンリンクで送信している。したがって、これらの２つの状況ではリソース共有を実行し、予め定義された数の副搬送波を第１のシステムに割り当て、残りの副搬送波を第２のシステムに割り当てることができる。第２のシステムはより長い時間フレーム持続時間を有するので、第１のシステムのアップリンク・フレームと重複しているアップリンク・フレームの部分のみにおいてデータが送信されることが保証されなければならない。
【００２９】
代わりに２および３では、両方のシステムが相補的な方向に同時に送信すると、全システムのパフォーマンスが狂うことになるので、両方のシステムの同時伝送は不可能である。
【００３０】
それぞれ状況２および３における好ましい実施形態では、それぞれアップリンクおよびダウンリンクの時間延長部全体ならびに周波数延長部全体上で第１のシステムのみをスケジュールすることが可能である。
【００３１】
要約すると、第２のシステム・フレームの持続期間が第１のシステム・フレームの持続期間よりも長い場合、第１のシステム・フレームと第２のシステム・フレームの両方のそれぞれアップリンクおよびダウンリンクが一致する第１のシステム・フレームの領域のみにおいて共有割当てが実行される。
【００３２】
図４に、本発明による基地局を示す。
【００３３】
基地局は、スケジューラ４１と、送信機４２と、受信機４３とを備える。
【００３４】
本発明によれば、スケジューラ４１は、第１のシステム端末および第２のシステム端末用の時間期間の間に必要とされるリソースの量を検出するための手段４１１と、前記予め定義された時間間隔の間に前記第１のシステム用に予約された前記ＯＦＤＭフレームの第１の部分および前記第２のシステム用に予約された前記ＯＦＤＭフレームの第２の部分を決定する手段のための手段とを備え、前記ＯＦＤＭフレームの前記第１および第２の部分は、周波数領域において分離され、前記第２のシステムのために必要とされるリソースを考慮に入れる。
【００３５】
好ましくは、第１のシステムに属する基地局は、第１のシステムのパラメータに加えて第２のシステムのパラメータを認識している（たとえば、基地局は、第２のシステムのフレーム構造、第２のシステムのプリアンブル構造、第２のシステムのフレーム構築フォーマットなどを認識している）。
【００３６】
両方のシステムからのリソース要求は、受信機４３において受信され、スケジューラ４１に転送される。スケジューラ４１は、図２および図３において説明した本発明によるリソース共有を実行し、送信機４２によって両方のシステムの端末に許可を送信する。
【００３７】
このようにして、両方のシステムは、フレームごとの動的割当てを使用して同じ周波数帯域において共存することができる。次いで、基地局は、第１のシステム端末と第２のシステム端末の両方を透過的にサポートすることができる。
【００３８】
そのような発明は、８０２．１６ｅ  Ｅｖｏｌｕｓｉｏｎの分野において想定でき、８０２．１６ｍのような規格は、円滑に導入されて徐々に８０２．１６ｅ規格に取って代わることができる。
【図１】
2011505081.tif 000003
【図４】
2011505081.tif 000004
【図２】
2011505081.tif 000005
【図３】
2011505081.tif 000006
【国際調査報告】
2011505081.tif 000007
2011505081.tif 000008
2011505081.tif 000009